(57)【特許請求の範囲】
【請求項１】
撮影レンズ及び開口面積を絞る絞り装置を内蔵する撮像装置用のレンズ装置であって、
前記撮影レンズ及び前記絞り装置を内蔵する筒状の筐体と、
前記筐体の外周部の周方向に回動可能に該外周部に設けられ、前記絞り装置の開口面積を調整するための第１操作リングと、
前記第１操作リングと平行かつ同軸回転可能に前記筐体の外周部に設けられ、透過光量可変フィルタの透過率を調整するための第２操作リングと、
を備え、
前記第１操作リングの操作量と前記絞り装置の透過光量の変化率の対応関係と、前記第２操作リングの操作量と前記透過光量可変フィルタの透過光量の変化率の対応関係とが同じになっているレンズ装置。
【請求項２】
請求項１に記載のレンズ装置であって、
前記第１操作リングと前記第２操作リングとは、隣り合って配置されているレンズ装置。
【請求項３】
請求項２に記載のレンズ装置であって、
前記第１操作リングと前記第２操作リングとの間に設けられた非可動仕切板を備えるレンズ装置。
【請求項４】
請求項２又は請求項３に記載のレンズ装置であって、
前記第１操作リングの外周面の表面構造と、前記第２操作リングの外周面の表面構造との間に差が設けられており、
前記表面構造の差は、前記第１操作リング及び前記第２操作リングの各外表面に形成されたローレット加工による溝の密度の差、前記第１操作リング及び前記第２操作リングの各外表面に形成された凹凸形状の差、前記第１操作リング及び前記第２操作リングの各外表面の入射光軸に対する傾斜角度の差、前記第１操作リング及び前記第２操作リングの各外表面の幅の差、前記第１操作リング及び前記第２操作リングの各外表面の円周方向に入れた切れ込み数の差、前記第１操作リング及び前記第２操作リングの各外表面の面粗さの差、前記第１操作リング及び前記第２操作リングの各外表面に形成された材質の硬さの差、前記第１操作リング及び前記第２操作リングの各外表面の高さの差、のうちの少なくとも１つ又は複数の組合せであるレンズ装置。
【請求項５】
請求項４に記載のレンズ装置であって、
ローレット加工した前記第１操作リング及び第２操作リングの外表面をギヤとして用いるモータドライブ機構を備えるレンズ装置。
【請求項６】
請求項２に記載のレンズ装置であって、
前記第１操作リングに係合する第１位置、及び前記第２操作リングに係合する第２位置を含む複数の位置に、これら第１操作リング及び第２操作リングの回転軸に沿って移動可能に設けられ、前記外周部の周方向に回動可能に取り付けられた第３操作リングを備えるレンズ装置。
【請求項７】
請求項６に記載のレンズ装置であって、
前記第３操作リングが前記第１位置にあるときに、前記第２操作リングの回動を規制し、前記第３操作リングが前記第２位置にあるときに、前記第１操作リングの回動を規制するロック部を更に備えるレンズ装置。
【請求項８】
請求項７に記載のレンズ装置であって、
前記ロック部は、前記第１操作リング及び前記第２操作リングの回転軸方向に第１操作リングと第２操作リングとの間の位置に設けられ、前記筐体に支持された揺動軸と、前記揺動軸に支持された揺動子と、を有し、
前記揺動子は、前記揺動軸まわりに第１方向に揺動することによって前記第２操作リングに係合し、また、前記第１方向とは反対方向の第２方向に揺動することによって前記第１操作リングに係合し、
前記第３操作リングは、前記揺動子と接触し、前記第１位置への移動に伴い前記揺動子を前記第１方向に、また、前記第２位置への移動に伴い前記揺動子を前記第２方向に揺動させる接触部を有しているレンズ装置。
【請求項９】
請求項７に記載のレンズ装置であって、
前記ロック部は、前記第１操作リングに係合する第１ロック部と、前記第２操作リングに係合する第２ロック部とを含んでおり、
前記第３操作リングは、前記第１操作リング及び前記第２操作リングの回転軸方向に第１操作リングと第２操作リングとの間の位置に設けられ、前記第１位置への移動に伴い前記第１操作リングに、また、前記第２位置への移動に伴い前記第２操作リングに当接し、
前記第１ロック部は、前記筐体の外周部に設けられた第１係合部と、前記第２位置から第１位置への前記第３操作リングの移動方向とは反対方向に前記第１操作リングを前記第１係合部に対して付勢する付勢部材と、を有し、
前記第２ロック部は、前記筐体の外周部に設けられた第２係合部と、前記第２位置への前記第３操作リングの移動方向とは反対方向に前記第２操作リングを前記第２係合部に対して付勢する付勢部材と、を有しているレンズ装置。
【請求項１０】
請求項７に記載のレンズ装置であって、
前記ロック部は、前記筐体の外周部の径方向に前記第１操作リングに対向して前記筐体に設けられ、前記第１操作リングを吸着する第１電磁石と、前記筐体の外周部の径方向に前記第２操作リングに対向して前記筐体に設けられ、前記第２操作リングを吸着する第２電磁石と、前記第１電磁石及び前記第２電磁石への通電を制御するスイッチ部と、を有し、
前記スイッチ部は、前記第３操作リングが前記第１位置にあるときに前記第２電磁石に通電し、前記第３操作リングが前記第２位置にあるときに前記第１電磁石に通電するレンズ装置。
【請求項１１】
請求項６に記載のレンズ装置であって、
前記第３操作リングは、前記第１位置及び前記第２位置にあるときに、前記第１操作リング及び前記第２操作リングを覆っているレンズ装置。
【請求項１２】
請求項６乃至請求項１１のいずれか一項に記載のレンズ装置であって、
前記第３操作リングが移動される複数の位置に、前記第３操作リングが前記第１操作リング及び前記第２操作リングのいずれにも非係合となる第３位置を更に含むレンズ装置。
【請求項１３】
請求項１２に記載のレンズ装置であって、
前記第１操作リングを回転駆動する第１駆動部、及び前記第２操作リングを回転駆動する第２駆動部を有するドライブユニットを更に備えるレンズ装置。
【請求項１４】
請求項１乃至請求項１３のいずれか１項に記載のレンズ装置であって、
前記透過光量可変フィルタが前記筐体に内蔵されるレンズ装置。
【請求項１５】
請求項１４に記載のレンズ装置であって、
前記透過光量可変フィルタの透過率を検出するモニタと、
前記モニタが検出した透過率が前記第２操作リングの回転角度に応じた透過率となる様に前記透過光量可変フィルタの透過率をフィードバック制御する制御部とを備えるレンズ装置。
【請求項１６】
請求項１乃至請求項１３のいずれか１項に記載のレンズ装置であって、
前記第２操作リングの回転角度に応じた信号を前記撮像装置に伝送し、前記撮像装置内に設けられている前記透過光量可変フィルタの透過率を前記撮像装置内の制御部に制御させるレンズ装置。
【請求項１７】
請求項１乃至請求項１６のいずれか１項に記載のレンズ装置を有する撮像装置。
【発明の詳細な説明】
【技術分野】
【０００１】
本発明はビデオカメラやテレビカメラ等のレンズ装置に関する。特に、手動で絞り装置を操作し透過光量を調整する操作具と、透過光量可変フィルタの透過光量を手動で操作する操作具とを両方備えるレンズ装置及びこのレンズ装置を有する撮像装置に関する。
【背景技術】
【０００２】
光量を調整する装置として、一般的に絞り（アイリス）装置が用いられる。例えば、図３２に示す絞り装置１００は、虹彩として機能する複数枚（図示する例では６枚）の絞り羽根１０１を円周上に配置し、夫々の羽根１０１の駆動点１０２を、支点１０３を中心に矢印１０４方向に移動させることで、入射光を透過させる中心孔１０５の開口面積を縮小するようになっている。【０００３】
この絞り装置１００では、中心孔１０５の開口面積を拡縮することによって、透過光量が調整される。しかし、中心孔１０５の開口面積が最小となる絞り位置でも、明るい屋外の映像を撮影するときに適正露出を得ることができない場合がある。また、中心孔１０５の開口面積が比較的小さい絞り位置では、光の回折によって解像力が低下し、撮影画質を劣化させてしまうことがある。【０００４】
このため、透過光量を調整する装置として、例えば、特許文献１に記載された透過光量可変フィルタは、円周に沿って減光材の濃度を連続的に変化させた円板状フィルタで構成されている。そして、この円板状フィルタの回転位置を調整することで、フィルタの透過光量を制御するようになっている。【０００５】
また、特許文献２に記載された透過光量可変フィルタは、光路上に置かれた円板状の誘電エラストマの両面に電極を貼り付け、電極間に印加する電圧を調整し、円板の膜厚を制御することで、フィルタの透過光量を制御するようになっている。【０００６】
特許文献１や特許文献２に示される透過光量可変フィルタを、図３２の様な絞り装置に代えて用いることで、明るい屋外の映像を撮影するときでも適正露出を得ることが可能となり、開口面積が比較的小さい絞り位での光の回折に起因する解像力の低下も回避可能となる。しかし、透過光量可変フィルタでは、絞り装置の利点とされる、開口面積を拡縮して被写界深度を調整することで背景をぼかす撮影ができなくなってしまう。【０００７】
つまり、絞り装置と透過光量可変フィルタは、透過光量の調整を行えるという機能だけみれば同じであるが、それ以外の機能には一長一短があり、どちらが優れているとは言えない。【０００８】
このため、下記の特許文献３，４に記載されている様に、絞り装置と透過光量可変フィルタ（可変ＮＤフィルタ）の両方を併用した撮像装置も提案されている。この様な撮像装置では、どの様な撮影条件でも適正露出を得ることができ、開口面積が比較的小さい絞り位での光の回折に起因する解像力の低下も回避でき、被写界深度の調整も可能になる。しかし、２つの光量調整手段を搭載するためにコストが嵩み、実機に適用するまでには至っていなかった。
【先行技術文献】
【特許文献】
【０００９】
【特許文献１】日本国特開２００７‐２４３９２８号公報
【特許文献２】日本国特開２００６‐１２６５０４号公報
【特許文献３】日本国特開平９‐１８６９２２号公報
【特許文献４】日本国特開平５‐２９２３９２号公報
【発明の概要】
【発明が解決しようとする課題】
【００１０】
近年では、透過光量可変フィルタの製造コストの低減化や性能向上が進み、絞り装置と透過光量可変フィルタの両方を撮像装置の実機に搭載することが可能になってきている。【００１１】
しかるに、撮像装置に装着するレンズ装置には、ズームレンズの倍率調整リングやフォーカス位置調整リングなど、撮影者がファインダ装置を覗きながら手の感触だけで操作する調整具（操作具）が多数有る。このため、絞り装置の調整具と透過光量可変フィルタの調整具を具体的にどの様な形態で実機に搭載すると使い勝手の優れたレンズ装置を提供できるかを考慮する必要がある。【００１２】
絞り装置と、透過光量可変フィルタとは、原理的な構造が異なり互いに独立した機構であるが、透過光量を調整するという機能だけを見ると同じである。このため、ユーザインタフェースとなる各調整具（操作具）の操作性を、撮影者の負荷軽減を図れるようにしておく必要がある。【００１３】
本発明の目的は、絞り装置の調整具と透過光量可変フィルタの調整具とを使い勝手の優れた形状とし夫々の操作量に対する透過光量の調整量の相対関係を直感的に把握することが可能なレンズ装置及びこのレンズ装置を有する撮像装置を提供することにある。
【課題を解決するための手段】
【００１４】
（１）  撮影レンズ及び開口面積を絞る絞り装置を内蔵する撮像装置用のレンズ装置であって、撮影レンズ及び絞り装置を内蔵する筒状の筐体と、筐体の外周部の周方向に回動可能に筐体の外周部に設けられ、絞り装置の開口面積を調整するための第１操作リングと、第１操作リングと平行かつ同軸回転可能に筐体の外周部に設けられ、透過光量可変フィルタの透過率を調整するための第２操作リングとを備え、第１操作リングの操作量と絞り装置の透過光量の変化率との対応関係と、第２操作リングの操作量と透過光量可変フィルタの透過光量の変化率との対応関係とが同じになっているレンズ装置。
（２）  （１）のレンズ装置を有する撮像装置。
【発明の効果】
【００１５】
本発明によれば、絞り装置の透過光量の調整と透過光量可変フィルタの透過光量の調整との組み合わせで様々な露出制御を行うことができ、様々な撮影意図に応じた映像を撮影することが可能となる。しかも、絞り装置の透過光量を調整するための第１操作リングと透過光量可変フィルタの透過光量を調整するための第２操作リングとが同じ操作感となる。このため、撮影者はファインダを覗きながら、操作リングを見ることなく的確に操作を行うことができ、瞬時に撮影意図を映像に反映させることが可能となる。
【図面の簡単な説明】
【００１６】
【図１】本発明の実施形態を説明するための、レンズ装置を有する撮像装置の一例の構成を示す外観図である。
【図２】図１に示すレンズ装置における絞り装置の操作具（アイリスリング）及び透過光量可変フィルタの操作具（ＮＤフィルタリング）が設けられた操作部分の一例の構成を示す側面図である。
【図３】図２のレンズ装置の操作部分の変形例の構成を示す側面図である。
【図４】図２に示すアイリスリングの回転角度と絞り装置の透過光量との関係、及びＮＤフィルタリングの回転角度と透過光量可変フィルタの透過光量との関係を示すグラフである。
【図５】図１に示す撮像装置の要部機能ブロック図である。
【図６】透過光量可変フィルタの透過率の変化と透過光波長域との関係の一例を示すグラフである。
【図７】図６に示す透過光量可変フィルタの特性における透過率とＲＧＢの色バランス変化の１例を示すグラフである。
【図８】図１に示す撮像装置の変形例の要部機能ブロック図である。
【図９】図８の撮像装置における透過光量可変フィルタに代わる他の透過光量可変フィルタの平面図である。
【図１０】図１に示す撮像装置の変形例の要部機能ブロック図である。
【図１１】図１に示す撮像装置の変形例の要部機能ブロック図である。
【図１２】本発明の実施形態を説明するための、レンズ装置における絞り装置の操作具及び透過光量可変フィルタの操作具が設けられた操作部分の他の例の構成を示す側面図である。
【図１３】図１２のレンズ装置の操作部分の他の変形例の構成を示す側面図である。
【図１４】図１２のレンズ装置の操作部分の他の変形例の構成を示す側面図である。
【図１５】図１２のレンズ装置の操作部分の他の変形例の構成を示す側面図である。
【図１６】図１２のレンズ装置の操作部分の他の変形例の構成を示す側面図である。
【図１７】図１２のレンズ装置の操作部分の他の変形例の構成を示す側面図である。
【図１８】図１２のレンズ装置の操作部分の他の変形例の構成を示す側面図である。
【図１９】図１２のレンズ装置の操作部分の他の変形例の構成を示す側面図である。
【図２０】図１２のレンズ装置の操作部分の他の変形例の構成を示す側面図である。
【図２１】図１２のレンズ装置の操作部分の他の変形例の構成を示す側面図である。
【図２２】本発明の実施形態を説明するための、レンズ装置における絞り装置の操作具及び透過光量可変フィルタの操作具が設けられた操作部分の他の例の構成を示す側面図である。
【図２３】図２２のレンズ装置の操作部分の変形例の構成を示す側面図である。
【図２４】本発明の実施形態を説明するための、レンズ装置における絞り装置の操作具及び透過光量可変フィルタの操作具が設けられた操作部分の他の例の構成を示す断面図である。
【図２５】図２４のレンズ装置の操作部分の断面図である。
【図２６】図２４のレンズ装置の操作部分の変形例の構成を示す断面図である。
【図２７】本発明の実施形態を説明するための、レンズ装置における絞り装置の操作具及び透過光量可変フィルタの操作具が設けられた操作部分の他の例の構成を示す断面図である。
【図２８】本発明の実施形態を説明するための、レンズ装置における絞り装置の操作具及び透過光量可変フィルタの操作具が設けられた操作部分の他の例の構成を示す側面図である。
【図２９】本発明の実施形態を説明するための、レンズ装置における絞り装置の操作具及び透過光量可変フィルタの操作具が設けられた操作部分の他の例の構成を示す側面図である。
【図３０】図２９に示すレンズ装置を装着した撮像装置の要部機能ブロック図である。
【図３１】図３０の撮像装置における露出制御方法の一例を説明するためのプログラム線図である。
【図３２】開口面積を絞る一般的な絞り装置の一例の平面図である。
【発明を実施するための形態】
【００１７】
以下、本発明の実施形態について、図面を参照して説明する。
【００１８】
図１は、本発明の実施形態を説明するための、レンズ装置を装着した撮像装置の一例の外観を示す。
【００１９】
図１に示す撮像装置は、撮像装置本体１と、その前部に装着されたレンズ装置２とを備えている。
【００２０】
レンズ装置２は円筒形状等の筒状の筐体１０を備える。この筐体１０内には、ズームレンズやフォーカスレンズ等の撮影レンズと、開口面積を調整できる絞り装置が内蔵されている。また、本レンズ装置２において、筐体１０内には、透過光量可変フィルタ（可変ＮＤフィルタ）も内蔵されている。
【００２１】
筐体１０の基部にはマウント部３が設けられている。このマウント部３の接続部３ａを、撮像装置本体１の前部に設けられているレンズ装着部に着脱自在に装着することで、レンズ装置２が撮像装置本体１に固定される。
【００２２】
接続部３ａには、図示しない各種接続端子（電気端子）が設けられている。また、撮像装置本体１のレンズ装着部にも、レンズ装置２側の各種接続端子に対応する接続端子（電気端子）が設けられている。レンズ装置２を撮像装置本体１に装着することで、これらの対応する接続端子毎に電気接続が行われる。これにより、レンズ装置２の図示しない制御装置は撮像装置本体１側の必要な情報を取得する。また、撮像装置本体１側の制御装置は、レンズ装置２側の必要な情報を取得する。
【００２３】
撮影者５は、この撮像装置本体１を右肩に担いで右眼でファインダ装置６を覗く。そして、撮影者５は、右手７でレンズ装置２の把持部を把持して撮像装置を固定しながら、被写体の動画像を撮影することになる。このとき、撮影者５は、レンズ装置２に設けられている各種操作具を左手の感触だけを頼りに左手で操作することになる。
【００２４】
レンズ装置２には、レンズ先端側（被写体側）に例えばフォーカスを調整する操作具としてのフォーカスリング８がレンズ装置２の外周囲を回動可能に設けられている。このフォーカスリング８を撮影者５が左手で任意角度に回転させることで、フォーカスの調整を行うことができる。
【００２５】
レンズ装置２の中間部分には、ズームを調整する操作具としてのズームリング９がレンズ装置２の外周囲を回動可能に設けられている。このズームリング９を撮影者５が左手で任意角度回転させることで、ズームの調整を行うことができる。
【００２６】
レンズ装置２には、このズームリング９の更に撮像装置本体１側に、絞り装置の透過光量を調整するための操作具としてのアイリスリング（第１操作リング）１１と、透過光量可変フィルタの透過光量を調整するための操作具としてのＮＤフィルタリング（第２操作リング）１２とが、隣り合って設けられている。なお、絞りアイリスリング１１及びＮＤフィルタリング１２のどちらを被写体側に配置するかは任意である。
【００２７】
アイリスリング１１は、レンズ装置２の外周囲を回動可能に設けられている。ＮＤフィルタリング１２もまた、レンズ装置２の外周囲に回動可能に設けられている。アイリスリング１１とＮＤフィルタリング１２は、それぞれの回転軸がレンズ装置２の光軸方向に平行かつ同軸回転可能に設けられている。
【００２８】
例えば、透過光量可変フィルタとして、特許文献２に記載されているような電圧で透過量を調整するタイプのフィルタを用いた場合は、ＮＤフィルタリング１２の回転角度を透過光量可変フィルタに印加する電圧値に変換する必要がある。この場合には、ＮＤフィルタリング１２に、その回転角度を検出するためのポテンショメータが取り付けられる。
【００２９】
アイリスリング１１及びＮＤフィルタリング１２は、例えば所定の回転角α毎にクリック感が得られる構造にしてもよい。撮影者５が回転角度を目視しなくても、どの程度回転させたか、即ち、どの程度の透過光量に調整したかが分かるようにするのが好ましいためである。
【００３０】
図２は、レンズ装置２における、アイリスリング１１及びＮＤフィルタリング１２が設けられた操作部分を拡大して示し、図３は、操作部分の変形例を示す。
【００３１】
アイリスリング１１とＮＤフィルタリング１２とを一緒に同方向に同時に回動操作することが便利な場合もあるため、図２に示すように、アイリスリング１１とＮＤフィルタリング１２とは互いに近接配置されている。ただし、アイリスリング１１とＮＤフィルタリング１２を離間した位置に配置しても構わない。
【００３２】
アイリスリング１１とＮＤフィルタリング１２を近接配置した場合、一方のリングだけを操作したとき他方のリングが回転しないように、アイリスリング１１とＮＤフィルタリング１２との間に若干の隙間１３を設けることが好ましい。隙間１３は、アイリスリング１１とＮＤフィルタリング１２とを一緒に同方向に同時に回動操作する際の操作性を考慮して、指一本の幅（約１．５ｃｍ程度）の距離以下とするのが好ましい。また、図３に示すように、アイリスリング１１とＮＤフィルタリング１２との間に、非可動の仕切板１４を設けてもよい。非可動の仕切板１４は、筐体１０の外周から径方向外側に向けて突起して形成された円環状の鍔部である。仕切り版１４の外径は、アイリスリング１１及びＮＤフィルタリング１２の外径と等しいか、それ以上であることが好ましい。こうすることで、一方のリングを操作する際、他方のリングには指が触れにくくなり、双方のリングが同時に回転することがなくなる。
【００３３】
撮影者５は、アイリスリング１１とＮＤフィルタリング１２のどちらが被写体側に配置されており、どちらが撮影者側に配置されているかを知っていれば、アイリスリング１１とＮＤフィルタリング１２を区別して操作することができる。
【００３４】
この様に、レンズ装置２は、絞り装置の操作具としてアイリスリング１１を有し、透過光量可変フィルタの操作具としてＮＤフィルタリング１２を有する構成であり、どちらのリングも指で回すという同じ動作によって操作することができる。
【００３５】
レンズ装置２においては、更に、アイリスリング１１とＮＤフィルタリング１２とで同じ操作感が得られるように、アイリスリング１１の操作量と絞り装置の透過光量の変化率との対応関係と、ＮＤフィルタリング１２の操作量と透過光量可変フィルタの透過光量の変化率の対応関係とを同じに設定している。なお、アイリスリング１１及びＮＤフィルタリング１２の操作量とは、各リングの任意の位置からの回転角をいい、各リングの原点からの位置については、以下において回転角度という。
【００３６】
図４は、アイリスリング１１の回転角度と絞り装置の透過光量の関係（ＦＩＧ．４Ａ）、及びＮＤフィルタリング１２の回転角度と透過光量可変フィルタの透過光量の関係（ＦＩＧ．４Ｂ）の一例を示している。なお、図４の各グラフでは、操作量（回転角）αごとの光量ポイントを直線で結んだが、各ポイントを曲線で結んだ回転角度‐透過光量の対応でも効果は同じになる。
【００３７】
絞り装置が開放（開口率１００％）となるアイリスリング１１の位置を原点とし、開口率１００％での絞り装置の透過光量を１として、回転角度αで透過光量は０．５（開口率５０％）となり、回転角度２αで透過光量は０．２５（開口率２５％）、回転角度３αで透過光量は０．１２５（開口率１２．５％）、回転角度４αで透過光量は０．０６３（開口率６．３％）、…、となっている。
【００３８】
このアイリスリング１１の操作感と同じ操作感が得られるように、ＮＤフィルタリング１２でも、透過光量可変フィルタの透過率が最大（図示の例では透過率１００％）となるＮＤフィルタリング１２の位置を原点とし、透過率１００％での透過光量可変フィルタの透過光量を１として、回転角度αで透過光量は０．５（透過率５０％）となり、回転角度２αで透過光量は０．２５（透過率２５％）、回転角度３αで透過光量は０．１２５（透過率１２．５％）、回転角度４αで透過光量は０．０６３（透過率６．３％）、…、となるように設定されている。
【００３９】
即ち、アイリスリング１１の回転角度と絞り装置の透過光量との関係、及びＮＤフィルタリング１２の回転角度と透過光量可変フィルタの透過光量の関係は、いずれも回転角度の単位変化量をαとした場合の各回転角度（原点、α、２α，…）における透過光量（１，０．５，０．２５，０．１２５，…）の数列において、同一の公比（１／２）の等比数列となるように設定されている。
【００４０】
例えば、特許文献２に記載されている様に、フィルタに印加する電圧値で透過光量可変フィルタの透過光量を調整する場合、ＮＤフィルタリング１２の回転角度α，２α，３α，…に応じた制御電圧値を定め、この電圧値を透過光量可変フィルタの電極に印加することで、回転角度に応じた透過光量を実現することができる。
【００４１】
以上の構成において、例えば、アイリスリング１１及びＮＤフィルタリング１２が任意の位置にある状態から、絞り装置の開口率を減じる方向にアイリスリング１１を操作量αで回動操作した場合と、透過光量可変フィルタの透過率を減じる方向にＮＤフィルタリング１２を操作量αで回動操作した場合とで、いずれも透過光量を半減することができ、アイリスリング１１とＮＤフィルタリング１２とで同じ操作感が得られる。
【００４２】
更に、ＮＤフィルタリング１２の回転角度と透過光量可変フィルタの透過光量との関係が、アイリスリング１１の回転角度と絞り装置の透過光量との関係と精度良く一致するように、後述する様に、透過光量可変フィルタの透過光量をフィードバック制御する。
【００４３】
図５は、レンズ装置２を撮像装置本体１に装着してなる撮像装置の要部機能ブロックを示す。
【００４４】
レンズ装置２には、撮影レンズ３１，３２と、図３２に例示する開口面積を拡縮する絞り装置１５と、透過光量可変フィルタ１６と、ＮＤフィルタ制御部１８とが内蔵されている。この例では、絞り装置１５と透過光量可変フィルタ１６とは隣り合って配置されている。
【００４５】
図５に示す破線円Ｘは、撮影レンズ３１，３２、絞り装置１５、透過光量可変フィルタ１６を内部に収納するレンズ装置２の筐体１０の外周部を示している。アイリスリング１１の回転量は、機械的又は電気的な駆動機構により、絞り装置１５において図３２に示す矢印１０４方向（又は逆方向）に羽根１０１を駆動する駆動力に変換される。
【００４６】
ＮＤフィルタリング１２の内周部には、ＮＤフィルタリング１２の回転角度を検出するポテンショメータ１７が設けられている。ＮＤフィルタ制御部１８は、ポテンショメータ１７の検出した回転角度を読み込み、この回転角度に応じた電圧値を透過光量可変フィルタ１６の電極に印加し、透過光量可変フィルタ１６の透過光量の調整を行う。
【００４７】
透過光量可変フィルタ１６の近傍には透過率モニタ１９が配置されている。透過率モニタ１９が検出した透過率はＮＤフィルタ制御部１８にフィードバックされる。そして、ＮＤフィルタ制御部１８は、透過光量可変フィルタ１６の透過光量がポテンショメータ１７の検出した回転角度に応じた透過光量となるように、透過光量可変フィルタ１６の透過率の制御を行う。
【００４８】
透過率モニタ１９は、透過光量可変フィルタ１６の円板を挟む発光素子と受光素子で構成され、発光素子の発光量と受光素子の受光量とから、透過光量可変フィルタ１６の透過率を検出するものである。
【００４９】
図５に示す例では、撮像装置本体１には、撮像素子モジュール２０とカメラ画像処理部（ＣＡＭ）２１が内蔵されている。撮像素子モジュール２０は、レンズ装置２を透過した入射光を赤（Ｒ）緑（Ｇ）青（Ｂ）の３色光に分離するプリズム２０ａと、プリズム２０ａで分離された赤色光（Ｒ光）を検出する撮像素子２０Ｒと、プリズム２０ａで分離された緑色光（Ｇ光）を検出する撮像素子２０Ｇと、プリズム２０ａで分離された青色光（Ｂ光）を検出する撮像素子２０Ｂとを備える。
【００５０】
各撮像素子２０Ｒ，２０Ｇ，２０Ｂの検出信号は、カメラ画像処理部２１でホワイトバランス補正された後、例えばテレビジョン信号として出力される。
【００５１】
カメラ画像処理部２１は、撮像素子モジュール２０が撮像した撮像画像信号を光量情報としてレンズ装置２のＮＤフィルタ制御部１８にフィードバックする。ＮＤフィルタ制御部１８は、この情報も考慮して透過光量可変フィルタ１６の透過率の制御を行う。
【００５２】
なお、透過光量可変フィルタ１６は透過率が異なると透過光（撮像素子への入射光）のＲＧＢバランスが変化するものがある。このため、カメラ画像処理部２１は、ＮＤフィルタ制御部１８から透過率情報を取得し、この透過率情報も用いてホワイトバランス補正を行う。透過率情報を用いたホワイトバランス補正について、以下に説明する。
【００５３】
図６は、透過光量可変フィルタの特性の一例を示し、図７は、透過光量可変フィルタの透過率とＲＧＢの色バランス変化の一例を示す。
【００５４】
入射光の４００ｎｍ（青色）〜７００ｎｍ（赤色）の波長範囲における平均の透過率が１００％のときの透過光量可変フィルタ１６の特性がフラットであっても、透過率を変化させると、各波長域で均等に減光されるわけではなく、各波長域でバラツキが生じる。
【００５５】
図６に示す例では、透過率が５０％であると、赤色光(Ｒ)の領域ではＧの領域より減光量が小さくなり、青色光（Ｂ）の領域ではＧの領域より減光量が大きくなる。更に透過率が２５％であると、Ｒの領域では透過率５０％のときよりもＧの領域より減光量が小さくなり、Ｂの領域では透過率５０％のときよりもＧの領域より減光量が大きくなる。
【００５６】
この現象を、透過率を横軸、光量比率を縦軸にとってグラフにすると、透過光量可変フィルタ１６の透過率が１００％の状態でホワイトバランスをとることで、ＲＧＢの各チャンネルの光量は一致し１００％になる。一方、透過光量可変フィルタ１６の減光量を大きくしていくと、減光量が大きくなるにつれてチャンネル間の光量比率Ｒ／Ｇは大きくなり、光量比率Ｂ／Ｇは小さくなる（ＦＩＧ．７Ａ）。
【００５７】
上記のような特性を持つ透過光量可変フィルタ１６を用いた場合は、透過光量可変フィルタ１６の透過率を１００％から５０％に変化させると、ＲＧＢバランスが崩れ、白色の被写体が赤みを帯びて出力される。透過光量可変フィルタ１６の透過率を変化させても白色の被写体が白色に出力されるためには、カメラ画像処理部２１が、透過率の変化に伴って崩れたＲＧＢバランスを、ＮＤフィルタ制御部１８から取得した透過率情報と、この透過率情報に応じて予め設定された補正量にしたがって補正すればよい。
【００５８】
例えば、カメラ画像処理部２１は、Ｒ出力を減衰させ、Ｂ出力を増幅させることで補正を行う（ＦＩＧ．７Ｂ）。透過率情報に応じて予め設定された補正量は、透過光量可変フィルタ１６の透過率を変化させながら、一定の光源下で白色の被写体を撮影してＲＧＢバランスの崩れ量を測定し、この透過率の変化に応じて崩れ量を補う補正値を求めておけばよい。
【００５９】
なお、図５に示す例では、撮像装置本体１に搭載する撮像素子を３板式撮像素子としたが、単板式の撮像素子とすることでも良い。
【００６０】
図８は、撮像装置の他の例の要部機能ブロックを示す。
【００６１】
図８に示す例では、透過光量可変フィルタ２７として、特許文献１に示されるフィルタを用いている。このフィルタは、透明円板に減光材を用いてグラデーションを形成している。つまり、中心軸に対し回転角度０度の位置で透過率０％→回転角度３６０度の直前位置で透過率１００％となるように、回転角度が増えるに従って徐々に透過率が高くなるように、減光材の濃度調整を行って製造されている。
【００６２】
このフィルタ２７を、レンズ装置２内に絞り装置１５と共に内蔵させる。そしてＮＤフィルタ制御部１８は、ポテンショメータ１７の検出した回転角度に応じてモータ２８に指令を出し、フィルタ２７の回転角度位置を制御する。これにより、フィルタ２７の入射光路上にくるグラデーション濃度が所要の濃度となり、ＮＤフィルタリング１２の回転位置に応じたフィルタ透過光量となる。この構成では、フィルタ２７の回転角度でフィルタ２７のグラデーション位置が決まる。このため、図５の透過率モニタ１９によるフィードバック制御系は設けなくても良い。
【００６３】
なお、透過光量可変フィルタ２７としては、特許文献１に示される透過光量可変フィルタに代えて、図９に例示するフィルタを用いることも可能である。図９に示すフィルタは、例えば１枚の円板２５に４つの透過部２５ａ，２５ｂ，２５ｃ，２５ｄが設けられており、透過部２５ａは単なる「貫通孔」となっている。つまり、透過部２５ａは、透過率１００％となる。
【００６４】
透過部２５ｂには、例えば透過率２５％のＮＤフィルタが填め込まれている。透過部２５ｃには、例えば透過率６．３％のＮＤフィルタが填め込まれている。透過部２５ｄには、例えば透過率１．６％のＮＤフィルタが填め込まれている。この透過光量可変フィルタは、中心軸２６を中心にモータ２８で回転駆動され、該当する透過部２５ａ〜２５ｄがレンズ装置２の光軸上に移動配置される。
【００６５】
図１０は、撮像装置の他の例の要部機能ブロックを示す。
【００６６】
図１０に示す例では、透過光量可変フィルタが、撮像装置本体１に内蔵され、撮像素子に取り付けられている。撮像装置本体１には、撮像素子２０Ｒ，２０Ｇ，２０Ｂと、各撮像素子の前段に設けられた透過光量可変フィルタ２０ｒ，２０ｇ，２０ｂと、これらの透過光量可変フィルタ２０ｒ，２０ｇ，２０ｂの透過光量を調整する透過量調整回路２４とが内蔵される。
【００６７】
ＮＤフィルタリング１２には、その回転角度を検出するポテンショメータ１７が取り付けられている。そして、ＮＤフィルタ制御部１８が、ポテンショメータ１７の検出値を、撮像装置本体１側の透過量調整回路２４に伝達する構成となっている。透過量調整回路２４は、ポテンショメータ１７の検出値に応じて、透過光量可変フィルタ２０ｒ，２０ｇ，２０ｂの透過率制御を行う。
【００６８】
なお、図１０に示す例においても、図５や図８に示す例のように透過光量可変フィルタをレンズ装置２に内蔵していても良い。この場合、撮像装置本体１側の透過光量可変フィルタを使用するか、レンズ装置２内蔵の透過光量可変フィルタを使用するかを、レンズ装置２に設けた図示しないスイッチで選択する構成にすることができる。レンズ装置２に内蔵される透過光量可変フィルタを使用しない場合には、ＮＤフィルタ制御部１８が、その透過光量可変フィルタの透過率を１００％に設定し、単にポテンショメータ１７の検出値を撮像装置本体１側に伝達する機能だけを果たす構成とすれば良い。
【００６９】
図１１は、撮像装置の変形例の要部機能ブロックを示す。
【００７０】
図５に示す例では、撮像装置本体１側のカメラ画像処理部２１が光量情報をレンズ装置２側のＮＤフィルタ制御部１８にだけフィードバックした。これに対し、図１１に示す例では、カメラ画像処理部２１は、光量情報を、レンズ装置２に内蔵されたモータドライバ３５にもフィードバックする。このモータドライバ３５は、フィードバックされた光量情報に基づいてモータ３６を駆動する。そして、モータ３６は、ＮＤフィルタリング１２に噛合するギヤ３７を用いてＮＤフィルタリング１２を回転駆動し、透過光量可変フィルタ１６の透過光量を調整する。
【００７１】
図１１に示す構成によれば、絞り装置はアイリスリング１１によってマニュアル操作可能とし、透過光量可変フィルタは自動制御するモードを実現することができ、状況に応じた使い分けが可能になる。なお、アイリスリング１１に対しても、同様のモータドライブ機構を設け、絞り装置及び透過光量可変フィルタを自動制御するようにしてもよい。
【００７２】
以上、透過光量可変フィルタをレンズ装置２に内蔵した例（図５，図８，図１１）、及び透過光量可変フィルタを撮像装置本体１に内蔵した例（図１０）を説明したが、透過光量可変フィルタは、レンズ装置２の被写体側先端部位置から、撮像装置本体１の撮像素子までの間の何処に配置されていても良い。つまり、透過光量可変フィルタの配置位置は、絞り装置１５の配置位置や、ＮＤフィルタリング１２の配置位置に制限を受けるものではない。また、撮像装置本体１とレンズ装置２とが別体であるものとしたが、これらは一体化されたものであってもよい。
【００７３】
以上述べたレンズ装置２によれば、テレビカメラやビデオカメラで被写体動画像を撮影している撮影者は、絞り装置の透過光量の調整と透過光量可変フィルタの透過光量の調整との組み合わせで様々な露出制御を行うことができるため、様々な撮影意図に応じた映像を撮影することが可能となる。
【００７４】
しかも、絞り装置の透過光量を調整するアイリスリング１１と透過光量可変フィルタの透過光量を調整するＮＤフィルタリング１２の操作感が同じに設定されている。このため、同じ操作感で両リングを操作でき、直感的にかつ指の触感だけを頼りに瞬時に露出調整ができ、操作負荷が軽減し、撮影意図を瞬時に映像に反映させることが可能となる。
【００７５】
図１２〜図２１は、本発明の実施形態を説明するための、レンズ装置の他の例の構成をそれぞれ示す。なお、図１２〜図２１に示すレンズ装置は、アイリスリング及びＮＤフィルタリングが設けられた操作部分の構成において上述したレンズ装置２と相違し、その他の構成はレンズ装置２と共通するので、操作部分以外の構成は図示を省略し、また、上述したレンズ装置２と共通する要素には、共通の符号を付することにより説明を省略あるいは簡略する。
【００７６】
上述したレンズ装置２において、撮影者５は、隣り合って配置されたアイリスリング１１及びＮＤフィルタリング１２のどちらが被写体側に配置されており、どちらが手前側に配置されているかを知っていれば、両者を区別して操作することができる。しかし、撮影者５は、ファインダ装置６を覗きながらアイリスリング１１とＮＤフィルタリング１２とを操作する。このため、指先の感触だけでどちらのリングを操作しているのか確実に判断できるようにするのが良い。そこで、以下に説明するレンズ装置では、アイリスリング１１とＮＤフィルタリング１２の夫々の表面構造に差を設けている。
【００７７】
図１２に示す例では、アイリスリング１１及びＮＤフィルタリング１２の外周面にローレット加工（滑り止め加工）が施されており、両リング１１，１２間でローレット加工の溝（レンズ装置２のレンズ光軸方向に延びる溝）間隔が異なっている。例えば、リング１１のローレット溝間隔は細かく、リング１２のローレット溝間隔は粗くなっている。これにより、指の触感だけで両リング１１，１２の区別が可能となる。
【００７８】
図１３に示す例では、両リング１１，１２共に、外周面の周方向に凹凸形状が設けられている。リング１１では、その断面を図１３の左右端に示す様に、凹部の周方向の幅が凸部の周方向の幅より幅狭になっている。リング１２では、逆に、凹部の周方向の幅が凸部の周方向の幅より幅広になっている。これにより、指の触感だけで両リング１１，１２の区別が可能となる。
【００７９】
図１４に示す例では、両リング１１，１２共に、ローレット加工された外周面に傾斜角が設けられている。リング１１の外周面は、撮像装置本体１側に向けて大径となるように傾斜している。リング１２の外周面は、撮像装置本体１側に向けて小径となるように傾斜している。そして、両リング１１，１２が対面する端の径は同径となっている。この表面構造差でも、撮影者５は指先の感覚だけで両リング１１，１２を区別することができる。
【００８０】
図１５に示す例では、図１４に示す例とは逆方向に両リング１１，１２の外周面に傾斜角が設けられている。この表面構造差でも、撮影者５は指先の感覚だけで両リング１１，１２を区別することができる。
【００８１】
図１６に示す例では、両リング１１，１２の外周面の幅が異なっており、リング１１の幅が広く、リング１２の幅が狭くなっている。勿論、リング１１の幅が狭く、リング１１の幅が広くなっていても良い。この表面構造差でも、撮影者は指先の感覚だけで両リング１１，１２を区別することができる。
【００８２】
図１７に示す例では、両リング１１，１２のローレット加工された外周面の幅は同じになっているが、リング１２の外周面のローレット加工に周方向に延びる切れ込み１２ａが入れられている。この切れ込み１２ａにより、リング１２のローレット加工面は、レンズ装置２の光軸方向に２分割され、両リング１１，１２のローレット加工面の分割数に差（リング１１は分割数「１」、リング１２は分割数「２」）が設けられている。勿論、リング１１のローレット加工面を複数に分割しても良い。この表面構造差でも、撮影者５は指先の感覚だけで両リング１１，１２を区別することができる。
【００８３】
図１８に示す例では、両リング１１，１２の外周面の一方（図示の例ではリング１１側）にだけ表面をざらつかせる粗面加工処理が施されている。そして、他方のリングの外周面はこの粗面加工処理が施されておらず、滑らかな表面のままとなっている。この表面構造差でも、撮影者は指先の感覚だけで両リング１１，１２を区別することができる。
【００８４】
図１９に示す例では、両リング１１，１２の外周面の両方に表面をざらつかせる粗面加工処理が施されている。そして、両リング１１，１２の一方（図示の例ではリング１２側）の表面の面粗さを小さくし、他方の表面の面粗さを大きくしている。この表面構造差でも、撮影者５は指先の感覚だけで両リング１１，１２を区別することができる。
【００８５】
図２０に示す例では、一方のリング（例えばリング１１）の外周面が硬質材で形成されている。また、他方のリングの外周面が軟質材（例えばゴム材）で形成されている。この表面構造差でも、撮影者５は指先の感覚だけで両リング１１，１２を区別することができる。
【００８６】
上述した図１２〜図２０に示す例では、リング１１とリング１２とは同径とされているが、図２１に示す例では、リング１１とリング１２とで径が異なっている。図示の例では、リング１１の外径がリング１２の外径より小さくなっている。この表面構造差でも、撮影者５は指先の感覚だけで両リング１１，１２を区別することができる。
【００８７】
以上、図１２〜図２１を参照して、アイリスリング１１とＮＤフィルタリング１２との間の種々の表面構造差を説明したが、いずれか１つの表面構造差を採用して両リング１１，１２を構成しても良いし、複数の表面構造差を組み合わせて両リング１１，１２を構成しても良い。例えば図１２に示した、両リング１１，１２間でローレット加工の溝間隔を異ならせる例において、両リング１１，１２のローレット加工面に異なる傾斜（図１４、図１５参照）を設けても良いし、リング１２のローレット加工面に切れ込み１２ａ（図１７参照）を入れても良い。
【００８８】
また、図１２〜図２１に示す例では、近接配置された両リング１１，１２間に若干の隙間１３を設け、一方のリングだけを操作したとき、他方のリングが摩擦力で移動しないようにしているが、隙間１３内に非可動の円筒状の仕切板１４（図３参照）を設けてもよい。この仕切板１４により、両リング１１，１２の一方を操作しているときに、他方が回転しにくくなるため、使い勝手を向上させることができる。
【００８９】
以上のアイリスリング１１とＮＤフィルタリング１２との間の種々の表面構造差は、図５、図８、図１０、図１１にそれぞれ示した撮像装置において、そのレンズ装置の操作部分に適用可能であるが、図１１に示した撮像装置のようにＮＤフィルタリング１２をモータドライブ機構で回転駆動する場合、あるいはアイリスリング１１及びＮＤフィルタリング１２をモータドライブ機構で回転駆動する場合に、ローレット加工の溝を外周ギヤとしてモータに噛合させる構成を好適に採用できる。この場合に、リング１１用のモータドライブ機構とリング１２のモータドライブ機構の部品共用化を図るには、両リング１１，１２のローレット加工の溝間隔を同じとするのが好ましい。このとき、両リング１１，１２の表面構造差としては、例えば図１４，１５に示した傾斜や、図１６に示した幅や、図１７に示した切り込みによる分割などの構造差を採用するのが良い。
【００９０】
図２２は、本発明の実施形態を説明するための、レンズ装置の他の例の構成を示す。なお、図２２に示すレンズ装置は、アイリスリング及びＮＤフィルタリングが設けられた操作部分の構成において上述したレンズ装置２と相違し、その他の構成はレンズ装置２と共通するので、操作部分以外の構成は図示を省略し、また、上述したレンズ装置２と共通する要素には、共通の符号を付することにより説明を省略あるいは簡略する。
【００９１】
図２２に示すレンズ装置２０２には、アイリスリング（第１操作リング）１１及びＮＤフィルタリング（第２操作リング）１２に係合し、これらのリング１１，１２を選択的に操作するための操作具としてのスライドリング（第３操作リング）２１５が設けられている。スライドリング２１５は、筐体１０の外周囲を回動可能に、かつアイリスリング１１及びＮＤフィルタリング１２の回動軸に沿って（レンズ装置２の光軸方向に）並進移動可能に設けられている。
【００９２】
アイリスリング１１及びＮＤフィルタリング１２は、レンズ装置２の光軸方向に所定の距離をおいて隣り合って配置されており、スライドリング２１５は、アイリスリング１１とＮＤフィルタリング１２との間の位置に配置されている。
【００９３】
このスライドリング２１５は、レンズ装置２の光軸方向に並進移動可能である。撮影者によって被写体側に押され、また、反対側に引き戻されるように操作されることによって、スライドリング２１５は、その並進移動範囲の被写体側の端にあたる第１位置、及び反対側の端にあたる第２位置に選択的に配置される。スライドリング２１５は、これら第１及び第２位置に配置された際にクリック感が得られる構造にしてもよい。
【００９４】
スライドリング２１５の内周面には、内径側に突出して設けられた環状の当接部２１６が設けられている。当接部２１６は、隣り合って配置されたアイリスリング１１とＮＤフィルタリング１２との間の隙間に進入した状態に配置される。
【００９５】
スライドリング２１５が第１位置に配置された場合（ＦＩＧ.２２Ａ）に、当接部２１６は、アイリスリング１１及びＮＤフィルタリング１２のうち被写体側に配置されたアイリスリング１１の側部に当接する。それにより、アイリスリング１１とスライドリング２１５とが係合する。この状態でスライドリング２１５が回動操作されると、スライドリング２１５と一体にアイリスリング１１もまた回動され、絞り装置の透過光量が調整される。
【００９６】
スライドリング２１５が第２位置に配置された場合（ＦＩＧ.２２Ｂ）に、当接部２１６は、ＮＤフィルタリング１２の側部に当接する。それにより、ＮＤフィルタリング１２とスライドリング２１５とが係合する。この状態でスライドリング２１５が回動操作されると、スライドリング２１５と一体にＮＤフィルタリング１２もまた回動され、透過光量可変フィルタの透過光量が調整される。
【００９７】
アイリスリング１１及びＮＤフィルタリング１２の各々の側部と、スライドリング２１５の当接部２１６とは、例えば摩擦によって係合する構造とすることができる。
【００９８】
以上のように構成されたレンズ装置２０２によれば、撮影者は、絞り装置の透過光量の調整と透過光量可変フィルタの透過光量の調整との組み合わせで様々な露出制御を行うことができるため、様々な撮影意図に応じた映像を撮影することが可能となる。そして、アイリスリング１１及びＮＤフィルタリング１２を、一つのスライドリング２１５で選択的に操作することができるので、使い勝手に優れると共に、アイリスリング１１とＮＤフィルタリング１２のどちらが被写体側に配置されているかが撮影者において認識されていれば、ファインダ装置６を覗きながらの操作であっても誤操作が防止される。
【００９９】
図２３は、レンズ装置２０２の操作部分の変形例を示す。
【０１００】
図２３に示す例において、スライドリング２１５は、アイリスリング１１及びＮＤフィルタリング１２よりも大径に、かつアイリスリング１１及びＮＤフィルタリング１２を跨ぐ幅に形成され、両リング１１，１２を覆って設けられている。
【０１０１】
スライドリング２１５が第１位置に配置された場合（ＦＩＧ.２３Ａ）、及びスライドリング２１５が第２位置に配置された場合（ＦＩＧ.２３Ｂ）のいずれの場合においても、アイリスリング１１及びＮＤフィルタリング１２は、スライドリング２１５によって覆われる。
【０１０２】
以上の構成によれば、スライドリング２１５によってアイリスリング１１及びＮＤフィルタリング１２の一方のリングの操作がなされている際に、他方のリングもまたスライドリング２１５によって覆われ、外部に露出しない。それにより、撮影者が、操作対象としていないリングに誤って触れ、リングが回動されることを防止することができる。
【０１０３】
図２４及び図２５は、本発明の実施形態を説明するための、レンズ装置の他の例の構成を示す。なお、上述したレンズ装置２０２と共通する要素には、共通の符号を付することにより説明を省略あるいは簡略する。
【０１０４】
図２４及び図２５に示すレンズ装置３０２においては、アイリスリング１１及びＮＤフィルタリング１２のうち、スライドリング２１５の位置に応じてスライドリング２１５との係合が解除されているリングの回動を規制するロック部を備えており、この点において上述したレンズ装置２０２と相違する。なお、図２５には、アイリスリング１１及びＮＤフィルタリング１２並びにスライドリング２１５は図示を省略している。
【０１０５】
レンズ装置３０２の筐体１０において、アイリスリング１１とＮＤフィルタリング１２との間の位置に凹部３１７が設けられている。ロック部３１８は、揺動軸３２０と、この揺動軸３２０に支持された揺動子３２１とを有し、凹部３１７に収容されている。
【０１０６】
揺動軸３２０は、アイリスリング１１及びＮＤフィルタリング１２並びにスライドリング２１５の回動軸を中心として凹部３１７を通過する円弧の、凹部３１７の位置における接線方向に延在し、凹部３１７の両側壁部に保持されている。
【０１０７】
揺動子３２１は、レンズ装置３０２の光軸方向にアイリスリング１１からＮＤフィルタリング１２に及ぶ長さを有し、その長手方向の略中央部を揺動軸３２０によって軸支され、レンズ装置３０２の光軸方向に延在している。
【０１０８】
以上の構成において、揺動子３２１の長手方向の一方の端部は、アイリスリング１１の内周面に対向し、他方の端部は、ＮＤフィルタリング１２の内周面に対向して配置される。そして、揺動子３２１の長手方向の両端部の各々には、対向するリングとの係合部３２２が設けられている。
【０１０９】
揺動子３２１には、スライドリング２１５の並進移動範囲と同等の長さを有し、揺動軸３２０によって支持される揺動子３２１の長手方向の略中央部に関して略対称に形成された摺接部３２３が設けられている。スライドリング２１５の内周面に対向する摺接部３２３の表面は、揺動子３２１がレンズ装置３０２の光軸と略平行に配置されている状態において、揺動子３２１の長手方向の略中央部から両端部に向かうに従ってレンズ装置３０２の光軸から次第に離間するような湾曲面ないし傾斜面とされている。
【０１１０】
スライドリング２１５の当接部２１６の内径側の縁部は、揺動子３２１の摺接部３２３の表面に接触している。スライドリング２１５が第１位置と第２位置との間で移動される際に、当接部２１６は、揺動子３２１の摺接部３２３の表面上を光軸方向に摺動する。それにより、揺動子３２１が揺動軸３２０まわりに揺動する。なお、レンズ装置３０２の筐体１０の外周面には、凹部３１７に通じる環状の溝３１９が形成されており、当接部２１６の内径側の縁部は溝３１９に受容されている。
【０１１１】
スライドリング２１５が第１位置に配置された場合（ＦＩＧ.２４Ａ）に、当接部２１６は、アイリスリング１１の側部に当接する。それにより、アイリスリング１１とスライドリング２１５とが係合する。この状態でスライドリング２１５が回動操作されると、スライドリング２１５と一体にアイリスリング１１もまた回動され、絞り装置の透過光量が調整される。
【０１１２】
このとき、当接部２１６は、揺動子３２１の摺接部３２３の被写体側端部の表面上を周方向に摺動しながら、摺接部３２３の被写体側端部をレンズ装置３０２の光軸に向けて押し込んでおり、揺動子３２１の被写体側とは反対側の端部に設けられた係合部３２２が、ＮＤフィルタリング１２の内周面に係合する。それにより、ＮＤフィルタリング１２の回動が規制される。
【０１１３】
スライドリング２１５が第２位置に配置された場合（ＦＩＧ.２４Ｂ）に、当接部２１６は、ＮＤフィルタリング１２の側部に当接する。それにより、ＮＤフィルタリング１２とスライドリング２１５とが係合する。この状態でスライドリング２１５が回動操作されると、スライドリング２１５と一体にＮＤフィルタリング１２もまた回動され、透過光量可変フィルタの透過光量が調整される。
【０１１４】
このとき、当接部２１６は、揺動子３２１の摺接部３２３の表面における被写体側とは反対側の端部をレンズ装置３０２の光軸に向けて押し込んでおり、揺動子３２１の被写体側の端部に設けられた係合部３２２が、アイリスリング１１の内周面に係合する。それにより、アイリスリング１１の回動が規制される。
【０１１５】
アイリスリング１１及びＮＤフィルタリング１２の各々の内周面と、揺動子３２１の係合部３２２とは、例えば摩擦によって係合する構造とすることができる。
【０１１６】
以上のように構成されたレンズ装置３０２によれば、スライドリング２１５によってアイリスリング１１及びＮＤフィルタリング１２の一方のリングの操作がなされている際に、他方のリングは、ロック部３１８によって、その回動が規制される。それにより、撮影者が、操作対象としていないリングに誤って触れ、リングが回動されることを防止することができる。
【０１１７】
なお、図示の例において、ロック部３１８は一つしか示されていないが、レンズ装置３０２の筐体１０の外周囲に適宜分散して複数設けることもできる。
【０１１８】
図２６は、上述したレンズ装置３０２の変形例の構成を示す。
【０１１９】
図２４及び図２５に示したレンズ装置３０２において、ロック部３１８は、スライドリング２１５の内径側に配置されているが、図２６に示す例においては、ロック部３１８がスライドリング２１５の外径側に配置されている点で異なる。
【０１２０】
ロック部３１８を構成する揺動軸３２０及び揺動子３２１は、適宜なケース３２４に収容され、揺動軸３２０はケース３２４に支持されている。そして、ケース３２４は、レンズ装置３０２の筐体１０において、アイリスリング１１及びＮＤフィルタリング１２並びにスライドリング２１５が設けられている操作部分の外周囲の適宜な箇所に装着されている。なおケース３２４には、アイリスリング１１及びＮＤフィルタリング１２並びにスライドリング２１５をケース内に導入し、またケース内から導出させる切り欠き（図示せず）が設けられている。
【０１２１】
揺動子３２１は、摺接部３２３の表面をスライドリング２１５の外周面に対向させるように配置され、揺動軸３２０に支持されている。スライドリング２１５は、その外径側の縁部において、揺動子３２１の摺接部３２３の表面に接触している。スライドリング２１５が第１位置と第２位置との間で移動される際に、スライドリング２１５の外径側の縁部は、揺動子３２１の摺接部３２３の表面を摺動する。それにより、揺動子３２１が揺動軸３２０まわりに揺動する。
【０１２２】
スライドリング２１５が第１位置に配置された場合（ＦＩＧ.２６Ａ）に、当接部２１６は、アイリスリング１１の側部に当接する。それにより、アイリスリング１１とスライドリング２１５とが係合する。この状態でスライドリング２１５が回動操作されると、スライドリング２１５と一体にアイリスリング１１もまた回動され、絞り装置の透過光量が調整される。
【０１２３】
このとき、スライドリング２１５の外径側の縁部は、揺動子３２１の摺接部３２３の表面における被写体側の端部を光軸から離れる方向に押し上げており、揺動子３２１の被写体側とは反対側の端部に設けられた係合部３２２が、ＮＤフィルタリング１２の外周面に係合する。それにより、ＮＤフィルタリング１２の回動が規制される。
【０１２４】
スライドリング２１５が第２位置に配置された場合（ＦＩＧ.２６Ｂ）に、当接部２１６は、ＮＤフィルタリング１２の側部に当接する。それにより、ＮＤフィルタリング１２とスライドリング２１５とが係合する。この状態でスライドリング２１５が回動操作されると、スライドリング２１５と一体にＮＤフィルタリング１２もまた回動され、透過光量可変フィルタの透過光量が調整される。
【０１２５】
このとき、スライドリング２１５の外径側の縁部は、揺動子３２１の摺接部３２３の表面における被写体側とは反対側の端部を光軸から離れる方向に押し上げており、揺動子３２１の被写体側の端部に設けられた係合部３２２が、アイリスリング１１の外周面に係合する。それにより、アイリスリング１１の回動が規制される。
【０１２６】
図２７は、本発明の実施形態を説明するための、レンズ装置の他の例の構成を模式的に示す。なお、上述したレンズ装置２０２と共通する要素には、共通の符号を付することにより説明を省略あるいは簡略する。
【０１２７】
図２７に示すレンズ装置４０２は、ロック部の構成が上述したレンズ装置３０２と異なり、アイリスリング１１に対して第１ロック部４１８ａが、ＮＤフィルタリング１２に対して第２ロック部４１８ｂがそれぞれ設けられている。
【０１２８】
第１ロック部４１８ａは、レンズ装置４０２の筐体１０に設けられた係合部４２０と、アイリスリング１１に設けられ、係合部４２０に当接する当接部４２１と、当接部４２１が係合部４２０に当接する方向にアイリスリング１１を付勢する付勢部材４２２とを有している。
【０１２９】
係合部４２０は、筐体１０においてアイリスリング１１に覆われる領域に設けられ、外径側に突出して環状に形成されている。一方の当接部４２１は、アイリスリング１１の内周面に設けられ、内径側に突出して環状に形成されている。当接部４２１は、第２位置から第１位置へのスライドリング２１５の移動方向とは反対方向に、即ち被写体側から係合部４２０に当接するように配置されている。
【０１３０】
付勢部材４２２は、図示の例においては筒状に形成されたつるまきバネが用いられており、筐体１０においてアイリスリング１１に覆われる領域の外周囲に巻回されている。この付勢部材４２２の軸方向の一方の端部は係合部４２０に固定されており、他方の端部はアイリスリング１１に係合している。アイリスリング１１は、付勢部材４２２によって、第２位置から第１位置へのスライドリング２１５の移動方向とは反対方向に付勢される。それにより、アイリスリング１１の当接部４２１は、係合部４２０に被写体側から当接する。
【０１３１】
第２ロック部４１８ｂは、第１ロック部４１８ａと同様に構成され、レンズ装置４０２の筐体１０に設けられた係合部４２０と、ＮＤフィルタリング１２に設けられ、係合部４２０に当接する当接部４２１と、当接部４２１が係合部４２０に当接する方向にＮＤフィルタリング１２を付勢する付勢部材４２２とを有している。なお、付勢部材４２２によるＮＤフィルタリング１２の付勢、及び当接部４２１が係合部４２０に当接する方向は、第１位置から第２位置へのスライドリング２１５の移動方向とは反対方向に設定されている。
【０１３２】
スライドリング２１５が第１位置に配置された場合（ＦＩＧ.２７Ａ）に、当接部２１６は、アイリスリング１１の側部に当接する。それにより、アイリスリング１１とスライドリング２１５とが係合する。また、このとき、アイリスリング１１は、第２位置から第１位置へのスライドリング２１５の移動方向、即ち第１ロック部４１８ａの付勢部材４２２によるアイリスリング１１の付勢方向とは反対方向に押圧される。それにより、第１ロック部４１８ａを構成する当接部４２１と係合部４２０との係合が解除される。この状態でスライドリング２１５が回動操作されると、スライドリング２１５と一体にアイリスリング１１もまた回動され、絞り装置の透過光量が調整される。
【０１３３】
他方、ＮＤフィルタリング１２は、第２ロック部４１８ｂを構成する当接部４２１と係合部４２０とが係合した状態にあり、その回動は規制されている。
【０１３４】
スライドリング２１５が第２位置に配置された場合（ＦＩＧ.２７Ｂ）に、当接部２１６は、ＮＤフィルタリング１２の側部に当接する。それにより、ＮＤフィルタリング１２とスライドリング２１５とが係合する。また、このとき、ＮＤフィルタリング１２は、第１位置から第２位置へのスライドリング２１５の移動方向、即ち第２ロック部４１８ｂの付勢部材４２２によるＮＤフィルタリング１２の付勢方向とは反対方向に押圧される。それにより、第２ロック部４１８ｂを構成する当接部４２１と係合部４２０との係合が解除される。この状態でスライドリング２１５が回動操作されると、スライドリング２１５と一体にＮＤフィルタリング１２もまた回動され、絞り装置の透過光量が調整される。
【０１３５】
他方、アイリスリング１１は、第１ロック部４１８ａを構成する当接部４２１と係合部４２０とが係合した状態にあり、その回動は規制されている。
【０１３６】
図２８は、本発明の実施形態を説明するための、レンズ装置の他の例の構成を模式的に示す。なお、上述したレンズ装置２０２と共通する要素には、共通の符号を付することにより説明を省略あるいは簡略する。
【０１３７】
上述したレンズ装置２０２，３０２，４０２のロック部が、いずれも機械的な係合によってアイリスリング１１及びＮＤフィルタリング１２の回動を規制するものであるのに対し、図２８に示すレンズ装置５０２のロック部は、電磁的にアイリスリング１１及びＮＤフィルタリング１２の回動を規制する。
【０１３８】
ロック部は、アイリスリング１１に対する第１電磁石５１８ａと、ＮＤフィルタリング１２に対する第２電磁石５１８ｂと、第１電磁石５１８ａのコイル及び第２電磁石５１８ｂのコイルに選択的に通電するスイッチ部５１９とを有している。
【０１３９】
スイッチ部５１９は、レンズ装置５０２の筐体１０に設けられた二組のスイッチ回路５２０ａ，５２０ｂを有している。一方のスイッチ回路５２０ａは第１電磁石５１８ａに対応し、他方のスイッチ回路５２０ｂは第２電磁石５１８ｂに対応する。当接部２１６がアイリスリング１１に当接する第１位置と当接部２１６がＮＤフィルタリング１２に当接する第２位置との間でのスライドリング２１５の移動における当接部２１６の可動範囲において、スイッチ回路５２０ａはＮＤフィルタリング１２側の端に配置されており、スイッチ回路５２０ｂはアイリスリング１１側の端に配置されている。
【０１４０】
スイッチ回路５２０ａは、筐体１０の外周面上に環状に形成され、レンズ装置５０２の光軸方向に隣り合って形成された二つの導体パターン５２１，５２２によって構成されている。一方の導体パターン５２１は、図示しない電源に接続されており、他方の導体パターン５２２は、第１電磁石５１８ａのコイルの一方の端に接続されている。そして、第１電磁石５１８ａのコイルの他方の端は上記の電源に接続されている。
【０１４１】
スイッチ回路５２０ｂは、スイッチ回路５２０ａと同様に、筐体１０の外周面上に環状に形成され、レンズ装置５０２の光軸方向に隣り合って形成された二つの導体パターン５２１，５２２によって構成されている。一方の導体パターン５２１は、図示しない電源に接続されており、他方の導体パターン５２２は、第２電磁石５１８ｂのコイルの一方の端に接続されている。そして、第２電磁石５１８ｂのコイルの他方の端は上記の電源に接続されている。
【０１４２】
そして、スライドリング２１５の当接部２１６の内径側の縁部には、筐体１０の外周面上を摺動する電気接点部５２３が設けられている。
【０１４３】
スライドリング２１５が第１位置に配置された場合（ＦＩＧ.２８Ａ）に、当接部２１６は、アイリスリング１１の側部に当接する。それにより、アイリスリング１１とスライドリング２１５とが係合する。この状態でスライドリング２１５が回動操作されると、スライドリング２１５と一体にアイリスリング１１もまた回動され、絞り装置の透過光量が調整される。
【０１４４】
このとき、当接部２１６の電気接点部５２３は、第２電磁石５１８ｂに対応するスイッチ回路５２０ｂの導体パターン５２１，５２２に橋架され、これらの導体パターン５２１，５２２を電気的に接続する。それによりスイッチ回路５２０ｂが閉じられ、第２電磁石５１８ｂのコイルへの通電がなされる。それにより第２電磁石５１８ｂは磁力を生じ、この磁力によって、ＮＤフィルタリング１２は第２電磁石５１８ｂに吸着され、その回動が規制される。なお、本レンズ装置５０２において、ＮＤフィルタリング１２は、磁性材料によって形成されているか、第２電磁石５１８ｂとの対向面に磁性材料からなる被吸着部材が添着されているものとする。
【０１４５】
スライドリング２１５が第２位置に配置された場合（ＦＩＧ.２８Ｂ）に、当接部２１６は、ＮＤフィルタリング１２の側部に当接する。それにより、ＮＤフィルタリング１２とスライドリング２１５とが係合する。この状態でスライドリング２１５が回動操作されると、スライドリング２１５と一体にＮＤフィルタリング１２もまた回動され、透過光量可変フィルタの透過光量が調整される。
【０１４６】
このとき、当接部２１６の電気接点部５２３は、第１電磁石５１８ａに対応するスイッチ回路５２０ａの導体パターン５２１，５２２に橋架され、これらの導体パターン５２１，５２２を電気的に接続する。それによりスイッチ回路５２０ａが閉じられ、第１電磁石５１８ａのコイルへの通電がなされる。それにより第１電磁石５１８ａは磁力を生じ、この磁力によって、アイリスリング１１は第１電磁石５１８ａに吸着され、その回動が規制される。なお、本レンズ装置５０２において、アイリスリング１１は、ＮＤフィルタリング１２と同様に、磁性材料によって形成されているか、第１電磁石５１８ａとの対向面に磁性材料からなる被吸着部材が添着されているものとする。
【０１４７】
以上のスライドリング２１５を用いた操作部分の構成は、図５、図８、図１０、図１１にそれぞれ示した撮像装置において、そのレンズ装置の操作部分に適用可能である。ただし、図１１に示した撮像装置のように、アイリスリング１１をマニュアル操作可能とし、モータドライブ機構を用いてＮＤフィルタリング１２を回転駆動して、透過光量可変フィルタを自動制御する場合、あるいはモータドライブ機構を用いてアイリスリング１１及びＮＤフィルタリング１２を回転駆動して、絞り装置及び透過光量可変フィルタを自動制御する場合に、アイリスリング１１及びＮＤフィルタリング１２が同時に回転されることになるため、ロック部を備えるものについては、図１１に示した撮像装置におけるレンズ装置の操作部分への適用は制限される。以下に、モータドライブ機構を用いて絞り装置や透過光量可変フィルタを自動制御する場合に好適なスライドリング２１５を用いた操作部分の構成について説明する。
【０１４８】
図２９は、本発明の実施形態を説明するための、レンズ装置の他の例の構成を模式的に示す。なお、上述したレンズ装置２０２と共通する要素には、共通の符号を付することにより説明を省略あるいは簡略する。
【０１４９】
図２９に示すレンズ装置６０２において、スライドリング２１５は、光軸方向に並進移動可能であり、その並進移動範囲における配置位置として、被写体側の端にあたる第１位置、及び反対側の端にあたる第２位置に加え、並進移動範囲の略中央にあたる第３位置が設けられている。
【０１５０】
スライドリング２１５は、第１位置において、アイリスリング１１及びＮＤフィルタリング１２のうち被写体側に配置されたアイリスリング１１に係合し（ＦＩＧ．２９Ａ）、第２位置において、ＮＤフィルタリング１２に係合する（ＦＩＧ．２９Ｂ）。そして、スライドリング２１５は、第３位置において、アイリスリング１１及びＮＤフィルタリング１２のいずれに対しても非係合となる（ＦＩＧ．２９Ｃ）。
【０１５１】
以上の構成において、スライドリング２１５が第３位置に配置されている場合には、アイリスリング１１及びＮＤフィルタリング１２の各々を同時に回動操作可能となる。そこで、アイリスリング１１、ＮＤフィルタリング１２をモータドライブ機構で回転駆動させる構成とすることも可能となる。モータドライブ機構を採用した場合、撮像装置本体１内部の撮像素子の受光量をモニタし、撮像装置本体１からの信号でアイリスリング１１とＮＤフィルタリング１２を回転駆動させて露出量を自動で適切に制御することもできる。
【０１５２】
図３０は、上述したレンズ装置６０２を撮像装置本体１に装着した撮像装置全体の要部機能ブロック図である。なお、図１１に示す撮像装置と共通する要素には、共通の符号を付することにより説明を省略あるいは簡略する。
【０１５３】
図３０に示す撮像装置は、アイリスリング１１及びＮＤフィルタリング１２をモータドライブ機構で回転駆動させ、露出量を自動で適切に制御するように構成されている。
【０１５４】
レンズ装置６０２には、撮影レンズ３１，３２と、絞り装置１５と、透過光量可変フィルタ１６と、絞り装置１５及び透過光量可変フィルタ１６の透過光量を被写体の明るさに応じて変更して露出制御を行う露出制御部４４とが内蔵されている。
【０１５５】
図３０に示す破線円Ｘは、レンズ装置６０２の筐体１０の外周部を示している。筐体１０の外周部には、スライドリング２１５が上記の第３位置に配置されている状態で、アイリスリング１１及びＮＤフィルタリング１２を回転駆動するためのドライブユニットが着脱可能に取り付けられている。
【０１５６】
ドライブユニットは、アイリスリング１１を回転駆動するためのモータ３６ａ（駆動部）と、ＮＤフィルタリング１２を回転駆動するためのモータ３６ｂ（駆動部）と、アイリスリング１１の回転角度を検出するポテンショメータ１７ａとを有している。なお、ＮＤフィルタリング１２の回転角度を検出するポテンショメータ１７ｂは、筐体１０に組み込まれている。また、本例において、ドライブユニットは、筐体１０の外周部に着脱可能に取り付けられるものとしたが、筐体１０に組み込まれていてもよく、その場合に、アイリスリング１１及びＮＤフィルタリング１２の回転を、モータ３６ａ，３６ｂによる駆動とマニュアル操作とで切り換え可能に構成される。
【０１５７】
露出制御部４４は、撮像装置本体１の撮像素子モジュール２０から出力される撮像信号を取得し、この撮像信号に基づいて被写体の明るさの変化を検出する。被写体の明るさに変化があった場合、露出制御部２０は、その明るさの被写体に対して所定の露出（明るさに対して予め定められた適正な露出）となるように、アイリスリング１１を回転駆動するモータ３６ａと、透過光量可変フィルタ１６及びＮＤフィルタリング１２を回転駆動するモータ３６ｂと、の少なくとも一方に駆動信号を送出し、絞り装置１５の透過光量及び透過光量可変フィルタ１６の透過光量の少なくとも一方を変更させる。
【０１５８】
ポテンショメータ１７ａが検出したアイリスリング１１の回転角度は露出制御部４４にフィードバックされる。露出制御部４４は、アイリスリング１１の回転角度が上記所定の露出に応じた値となるように、モータ３６ａを制御する。
【０１５９】
また、露出制御部４４は、透過光量可変フィルタ１６の電極に電圧印加し、透過光量可変フィルタ１６の透過率を制御する。透過光量可変フィルタ１６の近傍には透過率モニタ１９が配置されており、モニタ１９が検出した透過光量可変フィルタ１６の透過率は露出制御部４４にフィードバックされる。露出制御部４４は、透過光量可変フィルタ１６の透過率が上記所定の露出に応じた値となるように、透過光量可変フィルタ１６の電極に印加される電圧値を制御する。
【０１６０】
そして、ポテンショメータ１７ｂが検出したＮＤフィルタリング１２の回転角度は露出制御部４４にフィードバックされる。露出制御部４４は、ＮＤフィルタリング１２の回転角度が透過光量可変フィルタ１６の透過率に対応した角度となるように、モータ３６ｂを制御する。
【０１６１】
露出制御部４４は、例えば、以下に説明するプログラム線図にしたがって露出制御を行う。
【０１６２】
図３１は、露出制御用のプログラム線図の一例を示す図である。図３１において、縦軸は絞り装置１５のＦ値を示し、横軸は透過光量可変フィルタ１６の透過率（可変ＮＤ透過率）を示している。可変ＮＤ透過率は、最も光を通す状態を透過率＝１として表している。そして、図３１において、座標軸上に斜めに描かれた線は露出値（ＥＶ値）を示している。ＥＶ値は、被写体の明るさに対応し、ＥＶ値が大きい程、被写体が明るいことを示している。そして、同一線上の全ての点で露出量は一定であり、可変ＮＤ透過率１、Ｆ１．０をＥＶ１と定め、ＥＶ値が１増えるごとに露出量は半分になる。
【０１６３】
露出制御部４４は、図３１に示した太実線にしたがって露出制御を行う。即ち、露出制御部４４は、ＥＶ７までは、可変ＮＤ透過率を最大に維持した状態で絞り装置１５のＦ値のみを変更して露出を制御する。露出制御部４４は、ＥＶ７を超えてからは、図３１中の太実線にしたがってＦ値と可変ＮＤ透過率の両方を変更して露出を制御する。また、露出制御部４４は、ＥＶ１８を超えてからは、可変ＮＤ透過率を最小に維持した状態で絞り装置１５のＦ値のみを変更して露出を制御する。
【０１６４】
なお、露出制御部４４による露出制御の方法としては、第一の方法と第二の方法がある。第一の方法は、目標となるＥＶ値は予め決めずに適正露出になるまでＥＶ値を変化させていく方法である。第二の方法は、適正露出となるＥＶ値を撮像信号に基づいて予め決めておき、そのＥＶ値に最短の時間で達することができるように、Ｆ値と可変ＮＤ透過率を変化させていく方法である。図３１のプログラム線図は、第一の方法のときに使用するプログラム線図を示している。
【０１６５】
レンズ装置６０２は、Ｆ値が２〜８の範囲であれば良好な解像力を得ることができ、Ｆ値が４のときに最大の解像力を得ることができるものとする。この場合に、なるべくならＦ値は４の状態で撮影を行うことが、映像品質の向上にとって好ましい。しかし、例えばＦ値を４に固定にして、可変ＮＤ透過率のみを変更して露出制御を行ってしまうと、ＥＶ値が目標値に到達するまでの時間が長くなる場合がある。
【０１６６】
例えば、ＥＶ６からＥＶ値を上げていってＥＶ１４で適正露出が得られる場合、可変ＮＤ透過率は固定としてＦ値を１．４から４に変更した後、Ｆ値は固定として可変ＮＤ透過率を１から１／３２に変更する方法を採用すれば、最大の解像力を得ながら適正露出を実現することができる。これに対し、図３１の太実線にしたがった場合、ＥＶ６からＥＶ１４にするには、Ｆ値を４と５．６の間の値にまで変化させ、可変ＮＤ透過率を１／１６と１／３２の間の値にまで変化させればよく、Ｆ値を４に固定する場合よりも、可変ＮＤ透過率の変更幅を小さくすることができ、適正露出を得るまでの時間を短縮することができる。
【０１６７】
この場合、Ｆ値は４から外れてしまうが、上述したように、Ｆ値が２〜８の範囲であれば良好な解像力を得ることができるため、画質への影響は限定的となる。そのため、露出制御部４４は、Ｆ値が２〜８の範囲における最小Ｆ値（Ｆ２）と可変ＮＤ透過率の最大値（＝１）の組み合わせによって決まるＥＶ７から、Ｆ値が２〜８の範囲における最大Ｆ値（Ｆ８）と可変ＮＤ透過率の最小値（＝１／１２８）の組み合わせによって決まるＥＶ１８までのＥＶ値の範囲においては、Ｆ値と可変ＮＤ透過率の両方を変更することで、解像力を良好に保ちつつ、適正露出を得るまでの時間を短縮している。
【０１６８】
また、露出制御部４４は、Ｆ値と可変ＮＤ透過率の両方を変更して適正露出を得た後、適正露出を得た時点でのＦ値（Ｆａとする）が最大解像力の得られるＦ値（ここではＦ４）になっておらず、かつ、可変ＮＤ透過率が最小又は最大になっていない場合には、Ｆ値をＦ４に近づけると共に、適正露出を維持するように可変ＮＤ透過率を変更する。
【０１６９】
例えば、図３１において、Ｆ値と可変ＮＤ透過率がＥＶ８の斜め線と太実線との交点にある状態から、被写体の明るさが明るい方向に変化した場合について説明する。ＥＶ８からＥＶを上げていってＥＶ１４になった時点で適正露出が得られた場合、Ｆａ≠Ｆ４であり、かつ、可変ＮＤ透過率は最大又は最小ではないため、露出制御部４４は、図３１中の破線矢印で示したように、ＥＶ１４は維持したままＦ値を４にすると共に、可変ＮＤ透過率を１／３２にする。
【０１７０】
このとき、露出制御部４４は、可変ＮＤ透過率が１／３２に変化する速度に合わせた速度で絞り装置１５を開放していくような駆動信号を、モータ３６ａ，３６ｂに供給する。これにより、ＥＶ値は１４のまま、Ｆ値は４になるため、適正露出を保ったまま解像力を最大にすることができる。
【０１７１】
また、Ｆ４、可変ＮＤ透過率１／３２の状態から被写体の明るさが暗くなった場合、露出制御部４４は、図３１中の斜め左上に向かう破線矢印にしたがってＦ値と可変ＮＤ透過率の両方を変更して、ＥＶ値を下げていく。そして、ＥＶ９になった時点で適正露出になった場合、露出制御部４４は、図３１中の左斜め下に向かう破線矢印で示したように、ＥＶ９は維持したままＦ値を４にすると共に、可変ＮＤ透過率を１にする。
【０１７２】
また、Ｆ４、可変ＮＤ透過率１の状態から被写体の明るさが明るくなった場合、露出制御部４４は、図３１中の斜め右下に向かう一点鎖線矢印にしたがってＦ値と可変ＮＤ透過率の両方を変更して、ＥＶ値を上げていく。露出制御部４４は、Ｆ値が８になると、それ以上はＦ値を変更せず、可変ＮＤ透過率のみを下げて行く（図３１中の右に向かう一点鎖線矢印）。そして、ＥＶ１７になった時点で適正露出になった場合、露出制御部４４は、図３１中の右斜め上に向かう一点鎖線矢印で示したように、ＥＶ１７は維持したままＦ値をＦ４に近づけてＦ５．６にすると共に、可変ＮＤ透過率を１／１２８にする。
【０１７３】
このように、露出制御部４４は、適正露出を得た後に、Ｆ値が最大解像力の得られる値になっておらず、かつ、可変ＮＤ透過率が最小又は最大になっていない場合には、Ｆ値を最大解像力の得られる値に近づける制御を行う。この制御により、ＥＶ７からＥＶ１８の範囲においては、解像力を常に高い方向に近づけることができ、高品質の撮影が可能になる。また、適正露出を得た後、この適正露出を維持したままＦ値と可変ＮＤ透過率を変更するため、露出は変わらないまま解像力だけが向上することになり、違和感なく高画質化を実現することができる。
【０１７４】
また、露出制御部４４が、上記第二の方法（目標ＥＶ値を決めて、その目標ＥＶ値に向かって最短時間で到達するようにＦ値及び可変ＮＤ透過率を変更する方法）によって露出制御を行う場合には、適正露出までは最短時間で到達するため、応答性の高い露出制御が可能になる。そして、適正露出になった後に、その適正露出を維持したまま解像力を上げる制御がなされるため、応答性の向上と解像力の向上の双方を両立させることができる。
【０１７５】
なお、上述したプログラム線図は一例であって、露出制御部４４における露出制御には、その他の種々のプログラム線図を適用することができる。
【０１７６】
以上、説明したように、本明細書には、下記の事項が開示されている。
【０１７７】
（１）  撮影レンズ及び開口面積を絞る絞り装置を内蔵する撮像装置用のレンズ装置であって、撮影レンズ及び絞り装置を内蔵する筒状の筐体と、筐体の外周部の周方向に回動可能に筐体の外周部に設けられ、絞り装置の開口面積を調整するための第１操作リングと、第１操作リングと平行かつ同軸回転可能に筐体の外周部に設けられ、透過光量可変フィルタの透過率を調整するための第２操作リングと、を備え、第１操作リングの操作量と絞り装置の透過光量の変化率の対応関係と、第２操作リングの操作量と透過光量可変フィルタの透過光量の変化率の対応関係とが同じになっているレンズ装置。
（２）  （１）に記載のレンズ装置であって、第１操作リングと第２操作リングとは、隣り合って配置されているレンズ装置。
（３）  （２）に記載のレンズ装置であって、第１操作リングと第２操作リングとの間に設けられた非可動仕切板を備えるレンズ装置。
（４）  （２）又は（３）に記載のレンズ装置であって、第１操作リングの外周面の表面構造と、第２操作リングの外周面の表面構造との間に差が設けられているレンズ装置。
（５）  （４）に記載のレンズ装置であって、表面構造の差は、第１操作リング及び第２操作リングの各外表面に形成されたローレット加工による溝の密度の差、第１操作リング及び第２操作リングの各外表面に形成された凹凸形状の差、第１操作リング及び第２操作リングの各外表面の入射光軸に対する傾斜角度の差、第１操作リング及び第２操作リングの各外表面の幅の差、第１操作リング及び第２操作リングの各外表面の円周方向に入れた切れ込み数の差、第１操作リング及び第２操作リングの各外表面の面粗さの差、第１操作リング及び第２操作リングの各外表面に形成された材質の硬さの差、第１操作リング及び第２操作リングの各外表面の高さの差、のうちの少なくとも１つ又は複数の組合せであるレンズ装置。
（６）  （５）に記載のレンズ装置であって、ローレット加工した第１操作リング及び第２操作リングの外表面をギヤとして用いるモータドライブ機構を備えるレンズ装置。
（７）  （２）に記載のレンズ装置であって、第１操作リングに係合する第１位置、及び第２操作リングに係合する第２位置を含む複数の位置に、これら第１操作リング及び第２操作リングの回転軸に沿って移動可能に設けられ、外周部の周方向に回動可能に取り付けられた第３操作リングを備えるレンズ装置。
（８）  （７）に記載のレンズ装置であって、第３操作リングが第１位置にあるときに、第２操作リングの回動を規制し、第３操作リングが第２位置にあるときに、第１操作リングの回動を規制するロック部を更に備えるレンズ装置。
（９）  （８）に記載のレンズ装置であって、ロック部は、第１操作リング及び第２操作リングの回転軸方向に第１操作リングと第２操作リングとの間の位置に設けられ、筐体に支持された揺動軸と、揺動軸に支持された揺動子と、を有し、揺動子は、揺動軸まわりに第１方向に揺動することによって第２操作リングに係合し、また、第１方向とは反対方向の第２方向に揺動することによって第１操作リングに係合し、第３操作リングは、揺動子と接触し、第１位置への移動に伴い揺動子を第１方向に、また、第２位置への移動に伴い揺動子を第２方向に揺動させる接触部を有しているレンズ装置。
（１０）  （８）に記載のレンズ装置であって、ロック部は、第１操作リングに係合する第１ロック部と、第２操作リングに係合する第２ロック部とを含んでおり、第３操作リングは、第１操作リング及び第２操作リングの回転軸方向に第１操作リングと第２操作リングとの間の位置に設けられ、第１位置への移動に伴い第１操作リングに、また、第２位置への移動に伴い第２操作リングに当接し、第１ロック部は、筐体の外周部に設けられた第１係合部と、第２位置から第１位置への第３操作リングの移動方向とは反対方向に第１操作リングを第１係合部に対して付勢する付勢部材と、を有し、第２ロック部は、筐体の外周部に設けられた第２係合部と、第２位置への第３操作リングの移動方向とは反対方向に第２操作リングを第２係合部に対して付勢する付勢部材と、を有しているレンズ装置。
（１１）  （８）に記載のレンズ装置であって、ロック部は、筐体の外周部の径方向に第１操作リングに対向して筐体に設けられ、第１操作リングを吸着する第１電磁石と、筐体の外周部の径方向に第２操作リングに対向して筐体に設けられ、第２操作リングを吸着する第２電磁石と、第１電磁石及び第２電磁石への通電を制御するスイッチ部と、を有し、スイッチ部は、第３操作リングが第１位置にあるときに第２電磁石に通電し、第３操作リングが第２位置にあるときに第１電磁石に通電するレンズ装置。
（１２）  （７）に記載のレンズ装置であって、第３操作リングは、第１位置及び第２位置にあるときに、第１操作リング及び第２操作リングを覆っているレンズ装置。
（１３）  （７）乃至（１２）のいずれか一つに記載のレンズ装置であって、第３操作リングが移動される複数の位置に、第３操作リングが第１操作リング及び第２操作リングのいずれにも非係合となる第３位置を更に含むレンズ装置。
（１４）  （１３）に記載のレンズ装置であって、第１操作リングを回転駆動する第１駆動部、及び第２操作リングを回転駆動する第２駆動部を有するドライブユニットを更に備えるレンズ装置。
（１５）  （１）乃至（１４）のいずれか１つに記載のレンズ装置であって、透過光量可変フィルタが筐体に内蔵されるレンズ装置。
（１６）  （１５）に記載のレンズ装置であって、透過光量可変フィルタの透過率を検出するモニタと、モニタが検出した透過率が第２操作リングの回転角度に応じた透過率となる様に透過光量可変フィルタの透過率をフィードバック制御する制御部とを備えるレンズ装置。
（１７）  （１）乃至（１４）のいずれか１つに記載のレンズ装置であって、第２操作リングの回転角度に応じた信号を撮像装置に伝送し、撮像装置内に設けられている透過光量可変フィルタの透過率を撮像装置内の制御部に制御させるレンズ装置。
（１８）  （１）乃至（１７）のいずれか１つに記載のレンズ装置を有する撮像装置。
【産業上の利用可能性】
【０１７８】
本発明のレンズ装置及びこのレンズ装置を有する撮像装置は、絞り装置の調整具と透過光量可変フィルタの調整具とを使い勝手の優れた形状とし、夫々の操作量に対する透過光量の調整量の相対関係を直感的に把握することができる。【０１７９】
本発明を詳細にまた特定の実施態様を参照して説明したが、本発明の精神と範囲を逸脱することなく様々な変更や修正を加えることができることは当業者にとって明らかである。
本出願は、２０１１年８月３１日出願の日本特許出願（特願２０１１−１８９７８９）、２０１１年８月３１日出願の日本特許出願（特願２０１１−１８９７９１）、２０１１年９月３０日出願の日本特許出願（特願２０１１−２１８５２９）、２０１２年５月２日出願の日本特許出願（特願２０１２−１０５３１９）に基づくものであり、その内容はここに参照として取り込まれる。
【符号の説明】
【０１８０】
１     撮像装置本体
２     レンズ装置
５     撮影者
８     フォーカスリング
９     ズームリング
１０   筐体
１１   アイリスリング（第１操作リング）
１２   ＮＤフィルタリング（第２操作リング）
１４   仕切板
１５   絞り装置
１６   透過光量可変フィルタ
１７   ポテンショメータ
１８   ＮＤフィルタ制御部
１９   透過率モニタ
２０   撮像素子モジュール
２１   カメラ画像処理部
３１   撮影レンズ
３２   撮影レンズ
【図１】
0005557962.tif 000002
【図２】
0005557962.tif 000003
【図３】
0005557962.tif 000004
【図４】
0005557962.tif 000005
【図５】
0005557962.tif 000006
【図６】
0005557962.tif 000007
【図７】
0005557962.tif 000008
【図８】
0005557962.tif 000009
【図９】
0005557962.tif 000010
【図１０】
0005557962.tif 000011
【図１１】
0005557962.tif 000012
【図１２】
0005557962.tif 000013
【図１３】
0005557962.tif 000014
【図１４】
0005557962.tif 000015
【図１５】
0005557962.tif 000016
【図１６】
0005557962.tif 000017
【図１７】
0005557962.tif 000018
【図１８】
0005557962.tif 000019
【図１９】
0005557962.tif 000020
【図２０】
0005557962.tif 000021
【図２１】
0005557962.tif 000022
【図２２】
0005557962.tif 000023
【図２３】
0005557962.tif 000024
【図２４】
0005557962.tif 000025
【図２５】
0005557962.tif 000026
【図２６】
0005557962.tif 000027
【図２７】
0005557962.tif 000028
【図２８】
0005557962.tif 000029
【図２９】
0005557962.tif 000030
【図３０】
0005557962.tif 000031
【図３１】
0005557962.tif 000032
【図３２】
0005557962.tif 000033